(57)【特許請求の範囲】
【請求項１】
各々着信通知のタイミングが指定された移動機と、自局で管理するセルの報知情報を前記移動機に通知する基地局と、前記移動機に着信通知を中継する無線呼制御局と、前記移動機の位置情報を少なくとも管理する移動機情報格納局とを含む無線システムであって、
前記移動機情報格納局は、前記無線呼制御局に対して前記着信通知の１回目から再送の間に前記セルの報知情報に前記着信通知の情報を付加するように指示する手段を有することを特徴とする無線システム。
【請求項２】
前記移動機情報格納局は、前記移動機が在圏している在圏セル情報と前記移動機の移動速度とから前記報知情報に前記着信通知の情報を付加する移動機を決定することを特徴とする請求項１記載の無線システム。
【請求項３】
前記移動機情報格納局は、前記報知情報に前記着信通知の情報を付加するセルの範囲を決定することを特徴とする請求項１または請求項２記載の無線システム。
【請求項４】
前記移動機情報格納局は、前記移動機の速度情報と前記移動機が位置登録を行う位置登録エリア各々に含まれるセルの大きさを基に算出したエリアクラス情報を登録保持する保持手段と、前記保持手段に登録保持された前記移動機の速度情報と前記エリアクラス情報とを基に前記報知情報に前記着信通知の情報を付加するかどうかを判別する手段とを含むことを特徴とする請求項３記載の無線システム。
【請求項５】
前記移動機は、前記報知情報に付加されている前記着信通知の情報を検出した時に前記報知情報の受信後に着信応答することを特徴とする請求項１から請求項４のいずれか記載の無線システム。
【請求項６】
前記移動機は、自機の速度情報から前記エリアクラスの変更タイミングでネットワーク側にクラス変更の情報更新を行うことを特徴とする請求項１から請求項５のいずれか記載の無線システム。
【請求項７】
前記ネットワークは、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式のネットワークであることを特徴とする請求項６記載の無線システム。
【請求項８】
各々着信通知のタイミングが指定された移動機と、自局で管理するセルの報知情報を前記移動機に通知する基地局と、前記移動機に着信通知を中継する無線呼制御局とを含む無線システムにおいて、前記移動機の位置情報を少なくとも管理する移動機情報格納局であって、
前記無線呼制御局に対して前記着信通知の１回目から再送の間に前記セルの報知情報に前記着信通知の情報を付加するように指示する手段を有することを特徴とする移動機情報格納局。
【請求項９】
前記移動機が在圏している在圏セル情報と前記移動機の移動速度とから前記報知情報に前記着信通知の情報を付加する移動機を決定することを特徴とする請求項８記載の移動機情報格納局。
【請求項１０】
前記報知情報に前記着信通知の情報を付加するセルの範囲を決定することを特徴とする請求項８または請求項９記載の移動機情報格納局。
【請求項１１】
前記移動機の速度情報と前記移動機が位置登録を行う位置登録エリア各々に含まれるセルの大きさを基に算出したエリアクラス情報を登録保持する保持手段と、前記保持手段に登録保持された前記移動機の速度情報と前記エリアクラス情報とを基に前記報知情報に前記着信通知の情報を付加するかどうかを判別する手段とを含むことを特徴とする請求項１０記載の移動機情報格納局。
【請求項１２】
各々着信通知のタイミングが指定された移動機と、自局で管理するセルの報知情報を前記移動機に通知する基地局と、前記移動機に着信通知を中継する無線呼制御局と、前記移動機の位置情報を少なくとも管理する移動機情報格納局とを含む無線システムに用いる着信処理方法であって、
前記移動機情報格納局が、前記無線呼制御局に対して前記着信通知の１回目から再送の間に前記セルの報知情報に前記着信通知の情報を付加するように指示する処理を実行することを特徴とする着信処理方法。
【請求項１３】
前記移動機情報格納局が、前記移動機が在圏している在圏セル情報と前記移動機の移動速度とから前記報知情報に前記着信通知の情報を付加する移動機を決定することを特徴とする請求項１２記載の着信処理方法。
【請求項１４】
前記移動機情報格納局が、前記報知情報に前記着信通知の情報を付加するセルの範囲を決定することを特徴とする請求項１２または請求項１３記載の着信処理方法。
【請求項１５】
前記移動機情報格納局に、前記移動機の速度情報と前記移動機が位置登録を行う位置登録エリア各々に含まれるセルの大きさを基に算出したエリアクラス情報を登録保持する保持手段を設け、前記保持手段に登録保持された前記移動機の速度情報と前記エリアクラス情報とを基に前記報知情報に前記着信通知の情報を付加するかどうかを判別する処理を実行することを特徴とする請求項１４記載の着信処理方法。
【請求項１６】
前記移動機が、前記報知情報に付加されている前記着信通知の情報を検出した時に前記報知情報の受信後に着信応答することを特徴とする請求項１２から請求項１５のいずれか記載の着信処理方法。
【請求項１７】
前記移動機が、自機の速度情報から前記エリアクラスの変更タイミングでネットワーク側にクラス変更の情報更新を行うことを特徴とする請求項１２から請求項１６のいずれか記載の着信処理方法。
【請求項１８】
前記ネットワークが、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式のネットワークであることを特徴とする請求項１７記載の着信処理方法。
【請求項１９】
各々着信通知のタイミングが指定された移動機と、自局で管理するセルの報知情報を前記移動機に通知する基地局と、前記移動機に着信通知を中継する無線呼制御局と、前記移動機の位置情報を少なくとも管理する移動機情報格納局とを含む無線システムに用いる着信処理方法のプログラムであって、前記移動機情報格納局のコンピュータに、前記無線呼制御局に対して前記着信通知の１回目から再送の間に前記セルの報知情報に前記着信通知の情報を付加するように指示する処理を実行させるためのプログラム。
【発明の詳細な説明】
【技術分野】
【０００１】
本発明は無線システム、移動機情報格納局及びそれらに用いる着信処理方法並びにそのプログラムに関し、特にＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）無線システムにおける着信処理の方法に関する。
【背景技術】
【０００２】
現行のＷ−ＣＤＭＡ方式の無線システム（網）においては、着信通知のタイミングが端末（移動機）毎に指定されており、その着信通知（端末呼び出し）は着信専用のページングチャネル（Ｐａｇｉｎｇ  Ｃｈａｎｎｅｌ）を用いて行われている（例えば、特許文献１参照）。ページングチャネルは着信通知用として在圏している端末すべてが参照することができる共通チャネルである。
【０００３】
待ち受け時の着信処理では、端末が待ち受け中（無通信状態）に、自分の着信通知タイミングでページングチャネルの情報（Ｉｎｄｉｃａｔｏｒに通知があるかどうか）を取得しに行き、着信あり（Ｉｎｄｉｃａｔｏｒ）の場合には着信処理動作に移行している。
【０００４】
このような着信処理方法においては、自端末への着信通知タイミングが指定されているため、その着信タイミング時に端末がページングチャネルを受信できないような状況に陥っていた場合、着信通知が行われないことになる。端末側で想定される着信不可状態としては、圏外の場合や移動によって在圏セルを変更した場合（Ｃｅｌｌ−Ｒｅｓｅｌｅｃｔｉｏｎ）等がある。
【０００５】
実際には、上記のような状況の対策として、現行ネットワーク（ＮＷ：ＮｅｔＷｏｒｋ）ではページングチャネルにて着信通知を行い、端末から応答がなかった場合、次の着信通知のタイミングで再度端末に通知を行う再送処理が設定されている。
【０００６】
【特許文献１】特開２００５−０３９３６８号公報
【発明の開示】
【発明が解決しようとする課題】
【０００７】
しかしながら、上述した従来の着信処理方法では、上記のような再送処理の場合、１度目の着信通知から２度目の着信通知の間に端末が着信可能な状態に復帰したとしても、指定のタイミングまで着信通知が行われず、発信側ではその間、保留状態となる。
【０００８】
また、端末は着信不可状態である圏外やＣｅｌｌ−ｒｅｓｅｌｅｃｔｉｏｎからの復帰時、在圏するセルの情報を入手するため、同様に在圏セル内の全端末に向けて送信されている報知情報（Ｂｒｏａｄｃａｓｔ  Ｃｈａｎｎｅｌ：ブロードキャストチャネル）を取得している。
【０００９】
そこで、本発明の目的は上記の問題点を解消し、システム容量等を考慮した効率的な着信システムの構築（設計）を実現することができる無線システム、移動機情報格納局及びそれらに用いる着信処理方法並びにそのプログラムを提供することにある。
【課題を解決するための手段】
【００１０】
本発明による無線システムは、各々着信通知のタイミングが指定された移動機と、自局で管理するセルの報知情報を前記移動機に通知する基地局と、前記移動機に着信通知を中継する無線呼制御局と、前記移動機の位置情報を少なくとも管理する移動機情報格納局とを含む無線システムであって、
前記移動機情報格納局は、前記無線呼制御局に対して前記着信通知の１回目から再送の間に前記セルの報知情報に前記着信通知の情報を付加するように指示する手段を備えている。
【００１１】
本発明による移動機情報格納局は、各々着信通知のタイミングが指定された移動機と、自局で管理するセルの報知情報を前記移動機に通知する基地局と、前記移動機に着信通知を中継する無線呼制御局とを含む無線システムにおいて、前記移動機の位置情報を少なくとも管理する移動機情報格納局であって、
前記無線呼制御局に対して前記着信通知の１回目から再送の間に前記セルの報知情報に前記着信通知の情報を付加するように指示する手段を備えている。
【００１２】
本発明による着信処理方法は、各々着信通知のタイミングが指定された移動機と、自局で管理するセルの報知情報を前記移動機に通知する基地局と、前記移動機に着信通知を中継する無線呼制御局と、前記移動機の位置情報を少なくとも管理する移動機情報格納局とを含む無線システムに用いる着信処理方法であって、
前記移動機情報格納局が、前記無線呼制御局に対して前記着信通知の１回目から再送の間に前記セルの報知情報に前記着信通知の情報を付加するように指示する処理を実行している。
【００１３】
本発明による着信処理方法のプログラムは、各々着信通知のタイミングが指定された移動機と、自局で管理するセルの報知情報を前記移動機に通知する基地局と、前記移動機に着信通知を中継する無線呼制御局と、前記移動機の位置情報を少なくとも管理する移動機情報格納局とを含む無線システムに用いる着信処理方法のプログラムであって、前記移動機情報格納局のコンピュータに、前記無線呼制御局に対して前記着信通知の１回目から再送の間に前記セルの報知情報に前記着信通知の情報を付加するように指示する処理を実行させている。
【００１４】
すなわち、本発明の無線システムは、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式のネットワーク（ＮＷ：ＮｅｔＷｏｒｋ）において、ネットワークに登録されている端末情報を用いて端末呼び出し（着信処理）方法を変更可能とすることを特徴としている。
【００１５】
本発明の無線システムでは、着信通知の１回目から再送の間、セルの報知情報に着信通知の情報を付加することによって、端末が着信不可状態である圏外やＣｅｌｌ−ｒｅｓｅｌｅｃｔｉｏｎ等でページングチャネル（Ｐａｇｉｎｇ  Ｃｈａｎｎｅｌ）のデータを取りこぼした場合でも、次回の再送タイミングを待たずに着信処理に移行することが可能になる。これによって、本発明の無線システムでは、発信側での着信応答までの時間を短縮することが可能となる。
【００１６】
また、本発明の無線システムでは、報知情報に着信通知の情報を入れることによって、着信通知の機会が多くなるため、特定タイミングでの通常の着信処理方法よりも着信成功の可能性が高くなる。但し、報知情報に着信通知の情報を付加するにあたって、すべてのユーザの情報を付加することはシステム負荷の観点からも、実際に着信対象端末が着信通知時にＣｅｌｌ−ｒｅｓｅｌｅｃｔｉｏｎとなっている確率も端末毎に異なるため、効率的ではない。
【００１７】
例えば、端末の在圏状態がＵＲＡ−ＰＣＨ（Ｕｓｅｒ  Ｒｅｇｉｓｔｒａｔｉｏｎ  Ａｒｅａ−Ｐａｇｉｎｇ  Ｃｈａｎｎｅｌ）の場合、在圏セルの範囲が広いため、ＣＥＬＬ−ＰＣＨ（ＣＥＬＬ−Ｐａｇｉｎｇ  Ｃｈａｎｎｅｌ）状態で在圏している端末よりも、同じスピードでの移動によるＣｅｌｌ−Ｒｅｓｅｌｅｃｔｉｏｎしている確率が低いことになる。また、当然ながら高速で移動している端末は、低速で移動している端末よりＣｅｌｌ−Ｒｅｓｅｌｅｃｔｉｏｎしている確率が高いと考えられる。
【００１８】
そこで、本発明の無線システムでは、在圏している端末の在圏セル情報及び端末の移動速度より報知情報に着信通知の情報を付加する端末を決定し、また報知情報に着信通知の情報を付加するセルの範囲を決定することによって、効率的な着信システムの構築が可能となる。
【発明の効果】
【００１９】
本発明は、以下に述べるような構成及び動作とすることで、システム容量等を考慮した効率的な着信システムの構築（設計）を実現することができるという効果が得られる。
【発明を実施するための最良の形態】
【００２０】
次に、本発明の実施例について図面を参照して説明する。図１は本発明の一実施例による無線システムの構成を示すブロック図である。図１において、本発明の一実施例による無線システムはコアネットワーク１００内にある移動機情報格納局１と、無線呼制御局２Ａ〜２Ｃと、基地局３Ａ−１〜３Ａ−ｌ，３Ｂ−１〜３Ｂ−ｍ，３Ｃ−１〜３Ｃ−ｎと、移動機４とから構成されている。ここで、無線呼制御局２Ａと基地局３Ａ−１〜３Ａ−ｌとで制御エリアＡを構成し、無線呼制御局２Ｂと基地局３Ｂ−１〜３Ｂ−ｍとで制御エリアＢを構成し、無線呼制御局２Ｃと基地局３Ｃ−１〜３Ｃ−ｎとで制御エリアＣを構成している。
【００２１】
図２は本発明の一実施例におけるセル構成と位置登録エリアとを示す図である。図２において、制御エリアＡ〜Ｄはそれぞれセル＃１〜＃３から構成され、位置登録エリア＃１は制御エリアＡ，Ｂから構成されている。
【００２２】
図３は本発明の一実施例における各サービスエリアと移動機との関係を示す図である。図３においては移動機４ａ〜４ｃが基地局＃１（３−１）〜＃３（３−３）各々のサービスエリアを移動する状況を示している。
【００２３】
図４は本発明の一実施例における着信情報を付加したセルの一例を示す図である。これら図１〜図４を参照して本発明の一実施例による無線システムの構成及び動作について説明する。
【００２４】
コアネットワーク１００は回線交換機能やパケット交換機能等を有し、その他、課金機能までを含むネットワークである。コアネットワーク１００から外部のネットワークである有線網（図示せず）や移動通信網（図示せず）に接続されている。また、コアネットワーク１００は無線システム内の複数の無線呼制御局２Ａ〜２Ｃに接続されている。
【００２５】
コアネットワーク１００内にある移動機情報格納局１は主に移動機４の位置登録等の移動機情報格納機能を有しており、配下である無線呼制御局２Ａ〜２Ｃに在圏している各移動機４の位置登録情報及び移動機速度（Ｃｌａｓｓ）情報等を格納している。
【００２６】
無線呼制御局２Ａ〜２Ｃはそれぞれ複数の基地局３Ａ−１〜３Ａ−ｌ，３Ｂ−１〜３Ｂ−ｍ，３Ｃ−１〜３Ｃ−ｎに接続されており、基地局３Ａ−１〜３Ａ−ｌ，３Ｂ−１〜３Ｂ−ｍ，３Ｃ−１〜３Ｃ−ｎと移動機４との各接続の制御（呼制御）及び管理を行っている。
【００２７】
Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式の無線システムでは、基地局３Ａ−１〜３Ａ−ｌ，３Ｂ−１〜３Ｂ−ｍ，３Ｃ−１〜３Ｃ−ｎからサービスエリア内のすべての移動機４に対してシステム情報及び接続に必要な情報等が報知情報［ＢＣＨ（Ｂｒｏａｄｃａｓｔ  Ｃｈａｎｎｅｌ）のデータ］としてブロードキャストされており、これらの電波レベルが届く範囲を１つの単位として、図２に示すように、各サービスエリア（セル）を形成している。
【００２８】
本実施例では、着信通知情報が従来のＢＣＨで送信されるデータの中で移動局に真っ先に取得されるＭＩＢ（Ｍａｓｔｅｒ  Ｉｎｆｏｒｍａｔｉｏｎ  Ｂｌｏｃｋ）［無線システムのＰＬＭＮ（Ｐｕｂｌｉｃ  Ｌａｎｄ  Ｍｏｂｉｌｅ  Ｎｅｔｗｏｒｋ）等の基本情報その他の情報の送信スケジュールが格納されている情報要素）に付加するか、またはＭＩＢに含めない場合にはＳＩＢ（Ｓｙｓｔｅｍ  Ｉｎｆｏｍａｔｉｏｎ  Ｂｌｏｃｋ）に付加することとする。但し、ＳＩＢに付加する場合には、必ずＭＩＢ内のスケジューリングにてそのＳＩＢが取得されるように設定しておく必要がある。
【００２９】
移動機４はこれらのセル間を自由に行き来可能だが、一方のセルから他方のセルへ移動する際（Ｃｅｌｌ−Ｒｅｓｅｌｅｃｔｉｏｎ）に在圏するセルの情報を取得するために報知情報の取得を行う。図３では基地局＃１（セル＃１）のサービスエリアにいる移動機４ａが移動し、移動機４ｂの位置まできた時、移動機４はＣｅｌｌ−Ｒｅｓｅｌｅｃｔｉｏｎ動作を行い、移動先である基地局＃２（セル＃２）のサービスエリアの報知情報を取得する。
【００３０】
報知情報の取得を行っている間、移動機４はページングチャネル（Ｐａｇｉｎｇ  Ｃｈａｎｎｅｌ）を取得することができないため、このタイミングで着信通知が来た場合に、着信通知を取得することができない場合がある。つまり、図３では移動機４ａ，４ｃはそれぞれ着信通知を取得することが可能であるが、移動機４ｂは着信通知を取得することができない状況にある。
【００３１】
本実施例では、移動機４が通常のページングチャネルによる着信処理の起動動作の他に、受信した報知情報の中に自局宛の着信通知が合った場合、報知情報の受信完了後、直ちに着信処理の動作を起動する携帯端末とする。
【００３２】
また、移動機４は内部に速度検出機能を有しており、自身の移動速度によって速度クラスが変更になった場合のみ、基地局３Ａ−１〜３Ａ−ｌ，３Ｂ−１〜３Ｂ−ｍ，３Ｃ−１〜３Ｃ−３ｎとの通信を行い、移動機情報格納局１内に格納されている速度情報の更新を行うものとする。例えば、本実施例では、移動速度のクラスを「クラスＡ：０〜５０ｋｍ／ｈ」、「クラスＢ：５０〜１００ｋｍ／ｈ」、「クラスＣ：１００ｋｍ／ｈ以上」と分類し、クラスが変わった時のみ、ネットワーク側の情報を更新する。
【００３３】
Ｗ−ＣＤＭＡ方式の無線システムでは、移動機４の位置登録情報が位置登録エリア毎に分類されており、対象の移動機４への着信通知はこの位置登録エリア内の各セルのページングチャネルにて同時に通知される。
【００３４】
位置登録エリアは、例えば、図２に示すように、制御エリアＡ＋制御エリアＢで１つの位置登録エリアであったり、制御エリアＡ＋制御エリアＢ＋制御エリアＣで１つの位置登録エリアであったりと、各エリア内の収容移動機数や地形環境によって変わってくる。
【００３５】
また、各セルの大きさは大小まちまちであるが、移動機情報格納局１は各位置登録エリアに含まれるセルの大きさの統計データより算出したエリアクラスデータ（制御エリア別／セル別）を持っている。セル半径が小さいものほど、そこに在圏している移動機４はＣｅｌｌ−Ｒｅｓｅｌｅｃｔｉｏｎしやすいとして考える。
【００３６】
本実施例では、そのエリアクラスデータと移動機４の速度クラスとに応じて、報知情報に着信通知情報を含めるべきセル、もしくは制御エリアが決定される。例えば、移動機４の速度クラスが「１００ｋｍ／ｈ」の移動機への着信通知に関しては、半径２００ｍ以内のセルの報知情報に着信通知情報を含める（図４の小さな○）、また半径２００ｍ以内のセルが５０％以上の制御エリア内すべてのセルの報知情報に着信通知情報を含める（図４の制御エリアＢ）等という判定になる。
【００３７】
図５は本発明の一実施例による着信動作を示す図である。図５（ａ）は従来の着信動作を示し、図５（ｂ）は本発明の着信動作を示している。図５（ａ）に示すように、従来の着信動作では、着信通知時、ちょうど移動機側が「Ｃｅｌｌ−ｒｅｓｅｌｅｃｔｉｏｎ動作−報知情報受信」を行っていた場合、その着信通知は移動機で受信することができず、応答を返さないため、ネットワーク側で再送処理が起動する。
【００３８】
着信通知の再送時に移動機が再び「Ｃｅｌｌ−ｒｅｓｅｌｅｃｔｉｏｎ動作−報知情報受信」を行っていないければ、移動機から着信応答を返し、着信処理が開始される。しかしながら、ページングチャネルを再送している区間の時間は移動機（着信側）が待ち受け状態のままで、応答なしのため、発信側は接続中のままの状態として保留される。
【００３９】
本発明の一実施例による移動機は、「Ｃｅｌｌ−ｒｅｓｅｌｅｃｔｉｏｎ動作−報知情報受信」で１回目の着信通知を検出できなかった場合でも、Ｃｅｌｌ−ｒｅｓｅｌｅｃｔｉｏｎ動作後の報知情報受信で自機への着信通知情報が取得可能であるため、着信通知の再送を待たずに、ネットワーク側に着信応答を返すことが可能である。
【００４０】
また、移動機は圏外より復帰した際も、復帰したセルの報知情報を取得するため、着信時に圏外で着信通知を受けられなかった場合も、本実施例では、その後復帰した時点で着信応答を返すことが可能である（図５でＣｅｌｌ−ｒｅｓｅｌｅｃｔｉｏｎ部分が圏外に置き換わった場合も同様の処理になる）。
【００４１】
図６は本発明の一実施例における移動機４の速度検出／通知例を示す図である。本実施例では、図６に示すように、移動機４に自機の移動速度を定期的に測定させている。
【００４２】
この場合、移動機４の速度はいくつかの速度クラスに分類されており、移動機情報格納局１内には移動機４毎に速度クラス情報（ＣｌａｓｓＡ〜Ｄ）が登録されている。移動機４は測定した自機の移動速度が各Ｃｌａｓｓの閾値を上回った／下回った（つまり、Ｃｌａｓｓが変更になった）場合に、変更になったタイミング［図６の（１）〜（５）］でネットワーク側に接続を行い、移動機情報格納局１内に格納されている速度情報の更新を行う。
【００４３】
この移動機速度のＣｌａｓｓ分類は様々なパターンで設定することがが可能である。しかしながら、当然ながらＣｌａｓｓ分類を細かくすることで、ネットワーク側が移動機４の速度をより高い精度で認識することが可能となるため、移動機４の速度状態に応じて、報知情報に着信通知情報を含めるセル選択が容易となる。しかしながら、移動機４とネットワークとの間の通信が頻繁に行われることになり、移動機４の省電力及びシステム容量の観点ではデメリットになる可能性がある。
【００４４】
図７は図１の移動機情報格納局１の構成を示すブロック図である。図７において、移動機情報格納局１は各部の制御を行うＣＰＵ（中央処理装置）１１と、ＣＰＵ１１が実行する制御プログラム１２ａを格納するメインメモリ１２と、ＣＰＵ１１が制御プログラム１２ａを実行する際に作業領域として使用する記憶装置１３と、無線呼制御局２Ａ〜２Ｃとの通信を制御する通信制御部１４とから構成されている。
【００４５】
尚、記憶装置１３は移動機４の位置登録情報を保持する位置登録情報保持領域１３１と、移動機４のエリアクラスデータを保持するエリアクラスデータ保持領域１３２と、移動機４の速度情報を保持する移動機速度情報保持領域１３３とを備えている。また、ＣＰＵ１１、メインメモリ１２、記憶装置１３、通信制御部１４はそれぞれ内部バス１１０に接続されている。
【００４６】
図８は図１の移動機情報格納局１の動作を示すフローチャートである。これら図１〜図８を参照して、移動機４への着信通知イベントが発生した時の移動機情報格納局１内の着信イベント発生処理について説明する。尚、図８に示す処理は移動機情報格納局１においてＣＰＵ１１が制御プログラム１２ａを実行することで実現される。
【００４７】
着信通知イベントが発生した場合、移動機情報格納局１はまず着信対象となっている移動機４の速度情報を参照し、通常着信処理を行うか、報知情報付加の着信処理を行うかの判定を行う（図８ステップＳ１）。移動機情報格納局１は登録されている移動機４の速度情報が閾値Ａ未満と判定すると、通常の着信処理を行い（図８ステップＳ２）、移動機４の速度情報が閾値Ａ以上と判定すると、報知情報付加の着信処理を行う（図８ステップＳ３〜Ｓ６）。
【００４８】
移動機情報格納局１は通常の着信処理の場合、ページングチャネルで着信通知指示を位置登録エリア内の全無線制御局へ送信する。また、移動機情報格納局１は報知情報付加の着信処理の場合、さらに移動機４の速度（Ｃｌａｓｓ）とエリアクラスデータ（制御エリア別／セル別）とから報知情報に着信データを付加するべきセル及び制御エリアの範囲を決定し、その決定に応じて通常着信通知指示の他に該当無線呼制御局に報知情報付加の着信処理の通知を送信する。
【００４９】
つまり、移動機情報格納局１は移動機４の速度と在圏エリアの大きさとから報知情報に着信データを付加するべきセル及び制御エリアの範囲を分類する（図８ステップＳ３）。分類した結果、制御エリア単位であれば（図８ステップＳ４）、移動機情報格納局１は通常の着信処理の他に報知情報に付加する通知を該当制御エリアの全無線呼制御局に送信する（図８ステップＳ５）。また、セル単位であれば（図８ステップＳ４）、移動機情報格納局１は通常の着信処理の他に報知情報に付加する通知を該当セルがある制御エリアの無線呼制御局に送信する（図８ステップＳ６）。
【００５０】
このように、本実施例では、着信通知の１回目から再送の間、セルの報知情報に着信情報を付加することによって、移動機４が圏外やＣｅｌｌ−ｒｅｓｅｌｅｃｔｉｏｎ等でページングチャネルのデータを取りこぼした場合でも、次回の再送タイミングを待たずに着信処理に移行することができる。これによって、本実施例では、従来までの着信処理に比べて発信側での着信応答までの時間を短縮することができる。
【００５１】
また、本実施例では、報知情報に着信情報を入れることによって、着信通知の機会が多くなるため、特定タイミングで着信通知を行う通常の着信処理方法よりも着信成功率が高くなる可能性がある。
【００５２】
さらに、本実施例では、在圏している移動機４の在圏セル情報及び移動機４の移動速度から報知情報に着信情報を付加する移動機４、また報知情報に着信情報を付加する範囲を決定するため、システム容量等を考慮した効率的な着信システムの構築（設計）を実現することができる。
【００５３】
図９は本発明の一実施例における着信通知付加報知情報を送信するセルの一例を示す図であり、図１０は本発明の一実施例における着信通知付加報知情報を送信するセルの他の例を示す図である。これら図９及び図１０を参照して本発明の一実施例において着信通知付加報知情報を送信するセルについて説明する。
【００５４】
報知情報にて着信通知を行う処理は、本来、移動機４が在圏しているセル周辺のセルに限って行うのが最も効率がよい（図９参照）。但し、セル単位での移動機４の位置登録管理は処理の面、効率の面からも困難であるため、通常、図２に示すような位置登録エリアの如く、広範囲での位置登録管理になっている。そのため、着信時に移動機４が位置登録エリア内のどのセルに、実際に在圏しているのかどうかはわからない状況である。
【００５５】
しかしながら、本実施例では、位置登録情報の他に、エリアクラスデータと移動機４の速度情報とを移動機情報格納局１に格納しているので、移動機４が在圏している可能性が高いセルの特定が、ある程度可能である。
【００５６】
このセルの特定方法としては、最後に移動機４が通信（音声やパケットの正常通信の他、位置登録更新や速度情報更新）を行ったセルの半径と、その移動機４の速度クラスとから移動機４がそのセルに在圏しているだろう時間を算出し、その時間内は移動機４が同じセルに在圏しているとして、周辺セルの報知情報に着信通知情報を付加することで、より効率の良い着信通知が可能になる。
【００５７】
移動機４がそのセルに在圏しているだろう時間は、例えば、セル半径５００ｍ、移動機４の速度クラス１０ｋｍ／ｈ以上の場合、
５００／１００００×６０＝３分
というように算出することができる。
【００５８】
また、本実施例では、移動機４の速度によって報知情報に着信通知情報を含める周辺セル数を変えることも可能である。例えば、移動機４が速度Ａで移動している場合のセルに、移動機４が速度Ｂ（速度Ａ＜速度Ｂ）で移動している場合のセルを加えることで、周辺セル数を変えることも可能である（図１０参照）。
【図面の簡単な説明】
【００５９】
【図１】本発明の一実施例による無線システムの構成を示すブロック図である。
【図２】本発明の一実施例におけるセル構成と位置登録エリアとを示す図である。
【図３】本発明の一実施例における各サービスエリアと移動機との関係を示す図である。
【図４】本発明の一実施例における着信情報を付加したセルの一例を示す図である。
【図５】（ａ）は従来の着信動作を示す図、（ｂ）は本発明の着信動作を示す図である。
【図６】本発明の一実施例における移動機の速度検出／通知例を示す図である。
【図７】図１の移動機情報格納局の構成を示すブロック図である。
【図８】図１の移動機情報格納局の動作を示すフローチャートである。
【図９】本発明の一実施例における着信通知付加報知情報を送信するセルの一例を示す図である。
【図１０】本発明の一実施例における着信通知付加報知情報を送信するセルの他の例を示す図である。
【符号の説明】
【００６０】
１  移動機情報格納局
２Ａ〜２Ｃ  無線呼制御局
３−１〜３−３，
３Ａ−１〜３Ａ−ｌ，
３Ｂ−１〜３Ｂ−ｍ，
３Ｃ−１〜３Ｃ−ｎ  基地局
４，４ａ〜４ｃ  移動機
１１  ＣＰＵ
１２  メインメモリ
１２ａ  制御プログラム
１３  記憶装置
１４  通信制御部
１００  コアネットワーク
１１０  内部バス
１３１  位置登録情報保持領域
１３２  エリアクラスデータ保持領域
１３３  移動機速度情報保持領域
【図１】
0004631654.tif 000002
【図２】
0004631654.tif 000003
【図３】
0004631654.tif 000004
【図４】
0004631654.tif 000005
【図５】
0004631654.tif 000006
【図６】
0004631654.tif 000007
【図７】
0004631654.tif 000008
【図８】
0004631654.tif 000009
【図９】
0004631654.tif 000010
【図１０】
0004631654.tif 000011